(57)【要約】【課題】エラーメッセージなどを表示した状態でも、エラー発生前の表示内容を視認可能な遊技媒体計数機を提供する。【解決手段】異常の発生を通知するとき、透明または半透明の背景の上にエラーメッセージを描いたエラー画面を正常動作時の画面の上に重ねて表示する。【選択図】図１
2005334454.tif 000002
【特許請求の範囲】
【請求項１】
遊技媒体を計数する遊技媒体計数機において、
表示部と、
前記表示部の表示内容を制御する表示制御部とを備え、
前記表示制御部は、異常の発生を通知するとき、エラー情報と正常動作時の画面の双方を前記表示部に表示する
ことを特徴とする遊技媒体計数機。
【請求項２】
遊技媒体を計数する遊技媒体計数機において、
表示部と、
前記表示部の表示内容を制御する表示制御部とを備え、
前記表示制御部は、異常の発生を通知するとき、透明または半透明の背景の上にエラー情報を描いたエラー画面を、正常動作時の画面の上に重ねて表示する
ことを特徴とする遊技媒体計数機。
【請求項３】
遊技媒体を計数する遊技媒体計数機において、
表示部と、
前記表示部の表示内容を制御する表示制御部とを備え、
前記表示制御部は、異常の発生を通知するとき、エラー情報を正常動作時の画面の上に重ねて表示する
ことを特徴とする遊技媒体計数機。
【請求項４】
遊技媒体を計数する遊技媒体計数機において、
表示部と、
前記表示部の表示内容を制御する表示制御部とを備え、
前記表示制御部は、異常の発生を通知するとき、前記表示部の表示領域を分割して正常動作時の画面とエラー画面とを並行に表示する
ことを特徴とする遊技媒体計数機。
【請求項５】
遊技媒体を計数する遊技媒体計数機において、
表示部と、
前記表示部の表示内容を制御する表示制御部とを備え、
前記表示制御部は、異常の発生を通知するとき、正常動作時の画面の空きスペースまたは正常動作時の画面を縮小あるいはレイアウト変更して生じた空きスペースに、エラー情報またはエラー画面を表示する
ことを特徴とする遊技媒体計数機。
【請求項６】
遊技媒体を計数する遊技媒体計数機において、
表示部と、
前記表示部の表示内容を制御する表示制御部とを備え、
前記表示制御部は、異常の発生を通知するとき、正常動作時の画面とエラー画面とを交互に表示する
ことを特徴とする遊技媒体計数機。
【請求項７】
遊技媒体を計数する遊技媒体計数機において、
表示部と、
前記表示部の表示内容を制御する表示制御部とを備え、
前記表示制御部は、異常の発生を通知するとき、正常動作時の画面の上でエラー情報またはエラー画面をスクロール表示する
ことを特徴とする遊技媒体計数機。
【請求項８】
遊技媒体を計数する遊技媒体計数機において、
表示部と、
前記表示部の表示内容を制御する表示制御部とを備え、
前記表示制御部は、異常の発生を通知するとき、正常動作時の画面の上でエラー情報またはエラー画面を点滅表示する
ことを特徴とする遊技媒体計数機。
【請求項９】
前記エラー画面のサイズが前記表示部の表示領域全体より小さい
ことを特徴とする請求項２、７または８に記載の遊技媒体計数機。
【請求項１０】
異常の発生を通知するときに表示する前記正常動作時の画面がエラー発生直前のものである
ことを特徴とする請求項１、２、３、４、５、６、７、８または９に記載の遊技媒体計数機。
【請求項１１】
前記表示制御部は、正常動作時の画面において遊技媒体の計数値を表示する
ことを特徴とする請求項１、２、３、４、５、６、７、８、９または１０に記載の遊技媒体計数機。
【請求項１２】
前記エラー情報または前記エラー画面は、正常動作に復旧するための操作案内を含む
ことを特徴とする請求項１、２、３、４、５、６、７、８、９、１０または１１に記載の遊技媒体計数機。
【請求項１３】
前記表示部は、その表示領域上にタッチ式の操作部を備えたものであり、
異常の発生を通知するときに表示される正常動作時の画面にタッチ式の操作ボタンがあるとき、その操作ボタンに対する操作を無効にする
ことを特徴とする請求項１、２、３、４、５、６、７、８、９、１０、１１または１２に記載の遊技媒体計数機。
【発明の詳細な説明】
【技術分野】
【０００１】
本発明は、遊技者が獲得したパチンコ球などの遊技媒体の数を計数する遊技媒体計数機に関する。
【背景技術】
【０００２】
この種の遊技媒体計数機は、液晶ディスプレイなどの表示部を備え、この表示部に遊技媒体の計数値や操作案内メッセージなどを表示するようになっている。また、計数動作中などに異常が発生すると、その旨を表示や音声を通じて利用者に報知するようになっている。
【０００３】
たとえば、異常が発生したとき、表示部の表示画面を、計数値などを表示していた正常動作画面からエラーメッセージやエラーコードなどを表示したエラー画面に切り替えるようにした遊技媒体計数機がある（たとえば、特許文献１参照。）。
【０００４】
【特許文献１】特開２００２−２８３５９号公報
【発明の開示】
【発明が解決しようとする課題】
【０００５】
異常が発生した場合に、表示部の表示内容を正常動作画面からエラー画面に切り替えてしまうと、エラーが発生する直前の稼動状況や計数値を確認することができなくなる。このため、復旧に駆けつけた遊技場の係員と遊技媒体計数機を使用していた遊技者との間でエラー発生時の計数値などについて争いの生じることがあった。
【０００６】
また、エラーコードや簡単なエラーメッセージだけでは、どのような状況でエラーが発生したのかを係員が充分に理解することができず、異常の復旧に長い時間を要したり、熟練者の経験に頼らざるを得ない場合が生じたりするという問題があった。
【０００７】
本発明は、上記の問題を解決しようとする課題にするものであり、エラー情報を表示しつつ、エラー発生直前の表示内容を視認可能な遊技媒体計数機を提供することを目的としている。
【課題を解決するための手段】
【０００８】
請求項１に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、エラー情報と正常動作時の画面の双方を前記表示部（３１）に表示する
ことを特徴とする遊技媒体計数機である。
【０００９】
上記発明によれば、異常の発生を通知するとき、エラー情報と正常動作時の画面の双方が表示部（３１）に表示される。エラー情報には、エラーメッセージのほか、エラーコード、エラーに係わる図柄や絵柄、異常回復のための操作案内、エラー復旧用の操作ボタンなどがある。
【００１０】
請求項２に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、透明または半透明の背景の上にエラー情報を描いたエラー画面を、正常動作時の画面の上に重ねて表示する
ことを特徴とする遊技媒体計数機である。
【００１１】
上記発明によれば、異常の発生を通知するとき、透明または半透明の背景の上にエラー情報を描いたエラー画面が正常動作時の画面の上に重ねて表示される。透明または半透明の背景部分を通じてその下にある正常動作時の画面が視認される。たとえば、エラーが発生したとき、正常動作時の画面の上にエラー画面がポップアップウィンドウとして現われるようにするとよい。背景は、有色透明でも無色透明でもよい。半透明の透明度は適度に設定すればよいが、背後の正常動作画面の内容を視認可能な程度の透明度を要する。エラー情報は不透明の表示が望ましいが、有色透明のほか、文字の輪郭が不透明で内部が透明な表示態様であってもよい。
【００１２】
請求項３に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、エラー情報を正常動作時の画面の上に重ねて表示する
ことを特徴とする遊技媒体計数機である。
【００１３】
上記発明によれば、異常の発生を通知するとき、エラー情報が正常動作時の画面の上に重ねて表示される。背景や枠を有する画面としての表示ではなく、文字や絵柄などで構成されるエラー情報の部分だけが正常動作時の画面に重ねて表示される。この場合、エラー情報を正常動作時の画面の表示内容と区別し易い態様で表示するとよい。たとえば、エラー情報を構成する文字の書体やサイズ、色を正常動作時の画面のものと相違させるとよい。
【００１４】
請求項４に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、前記表示部（３１）の表示領域を分割して正常動作時の画面とエラー画面とを並行に表示する
ことを特徴とする遊技媒体計数機である。
【００１５】
上記発明によれば、異常の発生を通知するとき、表示部（３１）の表示領域を分割して正常動作時の画面とエラー画面とが並行に表示される。この場合、正常動作時の画面を分割後の表示領域に縮小表示したり、演出用の図柄などを排除し、エラー発生時点の状況を把握可能な情報だけを正常動作時の画面として分割後の表示領域に表示したりするとよい。分割の態様は問わない。たとえば、均等分割でも、他の比率で分割してもよい。また、分割の方向は上下、左右、その他を問わない。
【００１６】
請求項５に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、正常動作時の画面の空きスペースまたは正常動作時の画面を縮小あるいはレイアウト変更して生じた空きスペースに、エラー情報またはエラー画面を表示する
ことを特徴とする遊技媒体計数機である。
【００１７】
上記発明によれば、正常動作時の画面に元々存在している空きスペースまたは正常動作時の画面を縮小あるいはレイアウト変更して生じた空きスペースに、エラー情報やエラー画面が表示される。
【００１８】
請求項６に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、正常動作時の画面とエラー画面とを交互に表示する
ことを特徴とする遊技媒体計数機である。
【００１９】
上記発明によれば、異常の発生を通知するとき、正常動作時の画面とエラー画面とが交互に表示される。交互表示の周期および各画面を表示する時間の比率は適宜に設定すればよい。また、前記周期や比率を設定変更可能にしたり、操作により、交互表示の一時停止および再開を可能にしたりするとよい。
【００２０】
請求項７に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、正常動作時の画面の上でエラー情報またはエラー画面をスクロール表示する
ことを特徴とする遊技媒体計数機である。
【００２１】
上記発明によれば、異常の発生を通知するとき、正常動作時の画面の上でエラー情報またはエラー画面がスクロール表示される。現在、エラー情報の背後にある箇所もエラー情報の移動に伴ってやがて視認可能になり、正常動作時の画面の中で視認不能な箇所の生じることが防止される。
【００２２】
請求項８に係わる発明は、遊技媒体を計数する遊技媒体計数機において、
表示部（３１）と、
前記表示部（３１）の表示内容を制御する表示制御部（３３）とを備え、
前記表示制御部（３３）は、異常の発生を通知するとき、正常動作時の画面の上でエラー情報またはエラー画面を点滅表示する
ことを特徴とする遊技媒体計数機である。
【００２３】
上記発明によれば、異常の発生を通知するとき、正常動作時の画面の上でエラー情報またはエラー画面が点滅表示される。エラー情報が消灯すると、その背後にあった部分が視認可能になる。点滅の周期や点灯時間と消灯時間の割合は問わない。これらは固定値のほか変更可能に構成してもよい。
【００２４】
請求項９に係わる発明は、前記エラー画面のサイズが前記表示部（３１）の表示領域全体より小さい
ことを特徴とする請求項２、７または８に記載の遊技媒体計数機である。
【００２５】
上記発明によれば、エラー画面は、表示部（３１）の表示領域全体より小さく表示される。これにより、正常動作時の画面の上にエラー画面を重ねて表示していること、すなわち、表示画面の切り替え動作と相違することが明確に認識される。
【００２６】
請求項１０に係わる発明は、異常の発生を通知するときに表示する前記正常動作時の画面がエラー発生直前のものである
ことを特徴とする請求項１、２、３、４、５、６、７、８または９に記載の遊技媒体計数機である。
【００２７】
上記発明によれば、エラー情報やエラー画面とともに、エラー発生直前の正常動作画面が表示される。たとえば、エラー発生直前の稼動状態や計数値がエラー情報とともに表示される。
【００２８】
請求項１１に係わる発明は、前記表示制御部（３３）は、正常動作時の画面において遊技媒体の計数値を表示する
ことを特徴とする請求項１、２、３、４、５、６、７、８、９または１０に記載遊技媒体計数機である。
【００２９】
上記発明によれば、正常動作時の画面に遊技媒体の計数値が表示される。遊技者と係員との間で争いの生じ易い事項である計数値がエラー発生後にも視認可能になる。
【００３０】
請求項１２に係わる発明は、前記エラー情報または前記エラー画面は、正常動作に復旧するための操作案内を含む
ことを特徴とする請求項１、２、３、４、５、６、７、８、９、１０または１１に記載の遊技媒体計数機である。
【００３１】
上記発明によれば、エラー情報やエラー画面には、正常動作に復旧するための操作案内が含まれる。エラー発生前の正常動作時の画面を確認しながら、正常動作への復旧作業が可能になる。エラー情報やエラー画面は、復旧操作が進むに従ってその表示内容が変更されるように構成してもよい。
【００３２】
請求項１３に係わる発明は、前記表示部（３１）は、その表示領域上にタッチ式の操作部を備えたものであり、
異常の発生を通知するときに表示される正常動作時の画面にタッチ式の操作ボタンがあるとき、その操作ボタンに対する操作を無効にする
ことを特徴とする請求項１、２、３、４、５、６、７、８、９、１０、１１または１２に記載の遊技媒体計数機である。
【００３３】
上記発明によれば、エラー情報やエラー画面とともに表示される正常動作時の画面に存在するタッチ式の操作ボタンに対する操作は無効になる。利用者が誤操作しても動作に支障を来たすことがない。なお、無効になっている操作ボタンが操作されたとき、操作の無効を通知するためのエラー音を流してもよい。
【発明の効果】
【００３４】
本発明に係わる遊技媒体計数機によれば、異常の発生を通知するとき、エラー情報と正常動作時の画面の双方を表示部に表示するので、どのような状況でエラーが発生したのかを表示から一目で詳細に把握することができる。これにより、異常への対処を迅速かつ適切に行なうことが可能になる。また、エラー発生時の計数値や稼動状況を視認できるので、復旧に駆けつけた係員と遊技媒体計数機の使用者との間でエラー発生直前の計数値などについて争いが生じなくなり、円滑なトラブル対処が可能になる。
【００３５】
異常の発生を通知する際に、枠や背景を有するエラー画面を表示するものでは、エラーメッセージなどのエラー情報だけを正常動作時の画面に重ねて表示するものに比べて、エラーが発生したことの認識が容易になるほか、エラーに係わる情報と正常動作画面上の情報とを明確に区別して使用者に認識させることができる。  また、エラー発生時に操作ボタンを表示する場合に、これをエラー画面上に表示することにより、操作ボタンのみを表示する場合と比較して、正常動作時の画面上の操作ボタンと区別することができる。
【００３６】
特に、背景が透明または半透明のエラー画面を正常動作時の画面の上に重ねて表示するものでは、エラー画面の出現によって見えなくなる箇所が少なく、正常動作時の画面に対する視認性が確保される。
【００３７】
また、表示部の表示領域を分割して正常動作時の画面とエラー画面とを並行に表示するものや、正常動作時の画面とエラー画面とを交互に表示するもの、正常動作時の画面の上でエラー情報またはエラー画面をスクロール表示するもの、あるいは正常動作時の画面上でエラー情報またはエラー画面を点滅表示するものでは、エラー情報やエラー画面の出現によって完全に見えなくなってしまう箇所が生じないので、正常動作時の画面の内容を漏れなく把握することができる。
【００３８】
異常の発生を通知するときに、エラー情報やエラー画面とともにエラー発生直前の正常動作画面を表示するものでは、トラブルの解決に最も有用な情報を得ることができ、トラブルへの迅速かつ円滑な対処が可能になる。
【００３９】
エラー情報やエラー画面が正常動作に復旧するための操作案内を含むものでは、エラー発生前の正常動作時の画面を確認しながら、正常動作への復旧作業が可能になる。
【００４０】
異常の発生を通知する際に、エラー情報やエラー画面とともに表示された正常動作時の画面に存在するタッチ式の操作ボタンに対する操作が無効になるものでは、正常動作時の画面上にある操作ボタンを使用者が誤操作してもエラーの復旧などに支障の生じることがない。
【発明を実施するための最良の形態】
【００４１】
以下、図面に基づき本発明の実施の形態を説明する。
【００４２】
図２は、本発明の実施の形態に係わる遊技媒体計数機１０の遊技場における設置状態の一例を示している。遊技場内には、表裏両面にパチンコ機３と、このパチンコ機３で使用するパチンコ球（遊技媒体）を遊技者に貸し出す台間玉貸機４とを一組にしたものを多数並設収容した遊技機島５が設けてある。遊技者が獲得したパチンコ球を計数する機能を有する遊技媒体計数機１０は、各遊技機島５の島端や島中などに設けられる。
【００４３】
図３は遊技媒体計数機１０の正面を、図４は遊技媒体計数機１０の右側面を、図５は遊技媒体計数機１０の上面をそれぞれ表している。遊技媒体計数機１０の正面下部には、パチンコ球を一度に大量に投入可能な玉投入口１１が突出して設けてある。また、正面上部には計数結果などを表示する表示部としてのタッチパネル式表示装置１２や会員カードや貯玉カードが挿入されるカード挿入口１３、計数結果が印字されたレシートが排出されるレシート発券口１４などが設けてある。さらに、玉投入口１１の前端下部には端玉や、リプレイ処理時のパチンコ球を遊技者に払い出すための玉返却口１５が設けてある。
【００４４】
図６は、遊技媒体計数機１０の回路構成を示している。遊技媒体計数機１０は、装置全体の動作を統括制御する主制御部２１を有している。遊技媒体計数機１０は、ＣＰＵ（中央処理装置）と、プログラムや固定データを格納したＲＯＭ（リード・オンリ・メモリ）と、ワークメモリとしてのＲＡＭ（ランダム・アクセス・メモリ）とを主要部として構成されている。
【００４５】
主制御部２１には各種のデバイスや機能部が接続されている。具体的にはカッター部２２と、プリンター部２３と、表示／操作制御部２４と、玉払出部２５と、シャッター部２６と、計数部２７と、ブザー２８と、５ポジションキー２９と、インターフェイス部３０とが接続されている。
【００４６】
プリンター部２３は、投入されたパチンコ球の計数結果を記録紙に記録したレシートを印刷出力したり各種の設定状態やログデータなどを記録紙に記録して印刷出力する機能を果たす。カッター部２２は、プリンター部２３で印刷されたレシートなどを適切な長さで切断する機能を果たす。
【００４７】
表示／操作制御部２４には、液晶ディスプレイで構成された表示部３１と、その表示領域の前面に敷設されたタッチパネル部３２とが配下に接続されている。タッチパネル式表示装置１２は、表示部３１とタッチパネル部３２とで構成される。表示部３１には、計数値や操作案内、エラー情報、各種設定内容、操作ボタンなどが表示される。なお、タッチパネル式表示装置１２の表示部３１は、液晶ディスプレイに限らず、ＣＲＴやプラズマディスプレイなどを用いてもよい。
【００４８】
タッチパネル部３２は、遊技者が指先などで表示部３１の操作ボタンに触れたことを検知し、その検知情報を表示／操作制御部２４に通知する機能を果たす。表示／操作制御部２４は、表示部３１の表示内容を制御する機能を果たす。表示／操作制御部２４は、主制御部２１との間で通信を行なうことにより、表示部３１の表示内容を変化させたりタッチパネル部３２からの入力を契機に各デバイスに対して次の動作への移行を指示したりする。たとえば、レシートの発券や端玉の返却動作などを指示する。また、表示／操作制御部２４は、表示部３１に各種の画面を表示するための画像データを記憶したＲＯＭ３３を備えている。
【００４９】
計数部２７は、玉投入口１１から流入するパチンコ球を計数するとともに、その計数値を逐次主制御部２１に送信する機能を果たす。計数されたパチンコ球は遊技媒体計数機１０の背面から遊技機島５の内部に掛け渡された回収樋に放出される。シャッター部２６は、遊技機島５内に貯留されているパチンコ球の量や遊技場の営業状態などに応じて玉投入口１１を開閉する機能を果たす。
【００５０】
玉払出部２５は、端玉やリプレイ処理時の払い出し処理を行なうものである。ブザー２８は、タッチパネル部３２の入力確認音や不正行為に対する警告音を発する。５ポジションキー２９は、遊技媒体計数機１０の動作モードを切り替えるための回転式操作スイッチである。５ポジションキー２９は、鍵穴を備え、これに挿入される鍵の種類に応じて回転式操作スイッチの回転可能な範囲が制限される。
【００５１】
動作モードには、通常営業モードと、エラー解除モードと、担当者モードと、責任者モードと、メンテナンスモードとがある。通常営業モードは、パチンコ球を計数可能な動作状態である。エラー解除モードは、通常営業モードで発生した異常を遊技場の係員が復旧させるための動作モードである。
【００５２】
インターフェイス部３０は、シリアル通信で外部の機器と各種の情報をやりとりするための通信機能を備えている。遊技媒体計数機１０は、このインターフェイス部３０および図示省略の中継装置を通じて遊技場の管理コンピュータに接続されている。
【００５３】
図１は、異常が発生したときにタッチパネル式表示装置１２に表示される表示画面の一例を示している。この表示画面１００は、図７に示すように正常動作時の表示画面である正常動作画面１１０の上にエラー画面１２０を重ねて表示したものである。エラー画面１２０は、正常動作画面１１０の上にポップアップウィンドウとして表示される。同図に示す正常動作画面１１０には、計数結果である総玉数の表示１１１のほか、計数中であることの案内メッセージ１１２やお姉さんのキャラクタ画像１１３が表示されている。なお、キャラクタ画像１１３はＲＯＭ３３を交換することにより変更することができる。またキャラクタ画像１１３の代わりに実写した人物の映像などを採用してもよい。
【００５４】
エラー画面１２０は、タッチパネル式表示装置１２の表示領域よりもひと周り小さく、背景１２１や枠１２２が透明または半透明になっている。ここでは有色透明になっている。図では、透明または半透明であることを斜め破線を付して表わしてある。エラー画面１２０の約中央には「係員をお呼び下さい。」などのエラーメッセージ１２３やエラー復旧のための操作ボタンその他の、エラー情報が表示される。これらは、不透明に表示される。なお、有色透明のほか、文字の輪郭が不透明で内部が透明な表示態様であってもよい。
【００５５】
図１に示すように、エラー画面１２０の背景１２１や枠１２２は半透明なので、エラー画面１２０の背後にある正常動作画面１１０の内容を視認することができる。
【００５６】
図８は、遊技媒体計数機１０のエラー表示に係わる動作の流れを示している。遊技媒体計数機１０が正常に動作している間は、その動作状況に応じた正常動作画面が表示される（ステップＳ２０１）。たとえば、会員カードの挿入を促す案内メッセージやパチンコ球の計数値、交換方法の選択ボタンなどが表示される。
【００５７】
遊技媒体計数機１０は、何らかの異常が発生すると（ステップＳ２０２；Ｙ）、その異常内容に応じたエラー画面を作成する（ステップＳ２０３）。さらにこのエラー画面を異常が発生する直前の正常動作画面の上に重ね合わせた表示画面を表示部３１に表示する（ステップＳ２０４）。これとともに、正常動作画面に操作ボタンが表示されていた場合には、これらに対する以後の操作を無効にし、操作の受け付けを中止する（ステップＳ２０５）。
【００５８】
エラーの復旧操作が行なわれると（ステップＳ２０６；Ｙ）、復旧後の動作状態に応じた正常動作画面を表示する（ステップＳ２０１）。遊技者自身で復旧可能な異常の場合には、エラー画面に復旧操作の案内や復旧用の操作ボタンが表示される。係員が復旧すべき異常の場合は「係員をお呼び下さい。」などのエラーメッセージが表示され、駆けつけた係員が所定の鍵を５ポジションキー２９に挿入してエラー解除モードにセットすることで異常状態が解除される。
【００５９】
図９は、異常の発生を通知する他の表示方法を示している。この例では、正常動作画面３０１の上にエラー情報３０２だけを重ねて表示している。エラー情報３０２の表示色や文字サイズ、書体などを正常動作画面３０１で使用しているものと相違させることにより、異常に係わるメッセージであることを遊技者に明確に認識させることができる。
【００６０】
図１０は、正常動作画面の表示内容３１１を縮小し、これによって生じた空きスペースにエラー画面３１２を表示した表示画面３１０の一例を示している。エラー画面３１２の背後に正常動作画面の表示内容３１１が存在しないので、エラー画面３１２の背景や枠は透明または半透明である必要はない。ここでは、不透明な背景や枠を用いている。なお、正常動作画面の表示内容３１１の情報量が少ない場合などには、表示を縮小することなく行間を狭くするなどのレイアウト変更によりエラー画面３１２を表示するための空きスペースを作り出してもよい。また、元の正常動作画面に空きスペースがあるときは、その空きスペースを利用してエラー情報やエラー画面を表示してもよい。
【００６１】
図１１は、正常動作画面３２０とエラー画面３２５とを表示部３１に交互に表示するものの一例を示している。正常動作画面３２０を表示する時間とエラー画面３２５を表示する時間との割合や周期は固定的に設定してもよいし、変更可能に構成してもよい。さらに、正常動作画面３２０やエラー画面３２５に表示されている情報量に応じて、前記割合や周期が変更されるように構成してもよい。
【００６２】
図１２は、正常動作画面３３０の上でエラー画面３３５がスクロール（移動）するものの一例を示している。エラー画面３３５は、その背景や枠が不透明であってもよいし、透明または半透明であってもよい。正常動作画面３３０の各部分が必ず視認可能なようにエラー画面３３５の出現間隔を設定する。たとえば、出現間隔を大きく取り、正常動作画面３３０全体が視認可能な期間を設けるとよい。
【００６３】
尚、図１２の例では、背景や枠を含むエラー画面３３５をスクロールさせたが、エラーメッセージなどエラー情報だけをスクロール表示してもよい。
【００６４】
図１３は、正常動作画面３４０の上でエラー情報３４５だけを点滅表示するものの一例を示している。エラー情報３４５が消灯している期間に完全な状態で正常動作画面３４０を視認できるのでエラー情報３４５はどの場所に表示してもかまわない。
【００６５】
図１４は、表示部３１の表示領域を分割し、正常動作画面３５０とエラー画面３６０とを同時並行に表示したものの一例を示している。正常動作画面３５０は、単独で表示される状態に比べて縮小表示されている。エラー画面３６０にエラー情報を表示しきれないときは、エラー画面３６０の中でエラー情報をスクロール表示するとよい。
【００６６】
図１５は、エラー画面に表示されている操作ボタンで異常を解除する場合における画面遷移の一例を示している。貯玉中画面３７０の表示中にエラーが発生し背景が透明なエラー画面３８０が貯玉中画面３７０の上に重ねて表示されている。エラー画面３８０には、異常内容の説明文と確認ボタン３７１が表示されており、遊技者が確認ボタン３７１を操作するとエラー画面３８０が消える。その後、遊技者が会員カードを抜き取るとレシート発券用の計数結果表示画面３９０が表示される。
【００６７】
図１６は、操作ボタンを含む正常動作画面４００の上に背景や枠が透明なエラー画面４１０を重ねて表示したものの一例を示している。エラー画面４１０が表示されると正常動作画面４００にある少数景品計数ボタン４０１や会員照会ボタン４０２に対する操作を受け付けない状態になり、遊技者が誤ってこれらのボタン４０１、４０２を操作してもそれらの操作は無効になる。
【００６８】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態では、パチンコ球を計数したが、スロットマシン用のメダルなど他の遊技媒体を計数するものであってもよい。
【００６９】
また、実施の形態では「係員をお呼び下さい。」というエラーメッセージをエラー情報として表示したが、他のメッセージであってもかまわない。たとえば、「このカードは使えません。正しいカードを挿入して下さい。」、「一回の貯玉限度数に達したため貯玉できません。他の清算を選択してください。」、「貯玉限度数に達したため貯玉できません。他の清算を選択してください。」、「ただいま会員処理ができません。カードをおとり下さい。」などを異常の内容に応じて表示してもよい。また、画面に表示されるキャラクタ画像は表示／操作制御部２４のＲＯＭ３３の記憶内容を変更することにより任意に変えることができる。
【００７０】
このほか、エラー表示やエラー画面を点滅させたりスクロールさせたりする速度や周期を設定変更可能にするとよい。また、背景や枠の透明度や色を設定変更可能にするほか、エラー画面の表示中に透明度や色が動的に変化するように構成してもよい。
【図面の簡単な説明】
【００７１】
【図１】本発明の実施の形態に係わる遊技媒体計数機のタッチパネル式表示装置に表示される異常発生時の表示画面の一例を示す説明図である。
【図２】本発明の実施の形態に係わる遊技媒体計数機の遊技場における設置状態の一例を示す説明図である。
【図３】本発明の実施の形態に係わる遊技媒体計数機の正面図である。
【図４】本発明の実施の形態に係わる遊技媒体計数機の右側面である。
【図５】本発明の実施の形態に係わる遊技媒体計数機の上面図である。
【図６】本発明の実施の形態に係わる遊技媒体計数機の回路構成を示すブロック図である。
【図７】正常動作画面の上に背景や枠が透明なエラー画面を重ね合わせる様子を示す説明図である。
【図８】本発明の実施の形態に係わる遊技媒体計数機が行なう表示動作に係わる処理を示す流れ図である。
【図９】異常発生時の表示画面であって正常動作画面の上にエラー情報だけを重ね合わせたものの一例を示す説明図である。
【図１０】異常発生時の表示画面であって正常動作画面の表示内容を縮小し、これによって生じた空きスペースにエラー画面を表示したものの一例を示す説明図である。
【図１１】異常発生時の表示画面であって正常動作画面とエラー画面とを交互に表示するものの一例を示す説明図である。
【図１２】異常発生時の表示画面であって正常動作画面の上でエラー画面がスクロール（移動）するものの一例を示す説明図である。
【図１３】異常発生時の表示画面であって正常動作画面の上でエラー情報だけを点滅表示させるものの一例を示す説明図である。
【図１４】異常発生時の表示画面であって表示部の表示領域を分割し、正常動作画面とエラー画面とを同時並行に表示したものの一例を示す説明図である。
【図１５】エラー画面に表示されている操作ボタンで異常を解除する場合における画面遷移の一例を示す説明図である。
【図１６】異常発生時の表示画面であって操作ボタンを含む正常動作画面の上に背景や枠が透明なエラー画面を重ねて表示したものの一例を示す説明図である。
【符号の説明】
【００７２】
３…パチンコ機
４…台間玉貸機
５…遊技機島
１０…遊技媒体計数機
１１…玉投入口
１２…タッチパネル式表示装置
１３…カード挿入口
１４…レシート発券口
１５…玉返却口
２１…主制御部
２２…カッター部
２３…プリンター部
２４…表示／操作制御部
２５…玉払出部
２６…シャッター部
２７…計数部
２８…ブザー
２９…５ポジションキー
３０…インターフェイス部
３１…表示部
３２…タッチパネル部
３３…ＲＯＭ
１００…異常発生時の表示画面
１１０…正常動作画面
１１１…総玉数の表示
１１２…案内メッセージ
１１３…キャラクタ画像
１２０…エラー画面
１２１…背景
１２２…枠
１２３…エラーメッセージ
３０１…正常動作画面
３０２…エラー情報
３１０…異常発生時の表示画面
３１１…正常動作画面の表示内容
３１２…エラー画面
３２０…正常動作画面
３２５…エラー画面
３３０…正常動作画面
３３５…エラー画面
３４０…正常動作画面
３４５…エラー情報
３５０…正常動作画面
３６０…エラー画面
３７０…貯玉中画面
３７１…確認ボタン
３８０…エラー画面
３９０…計数結果表示画面
４００…操作ボタンを含む正常動作画面
４０１…少数景品計数ボタン
４０２…会員照会ボタン
４１０…エラー画面
【図１】
2005334454.tif 000003
【図２】
2005334454.tif 000004
【図３】
2005334454.tif 000005
【図４】
2005334454.tif 000006
【図５】
2005334454.tif 000007
【図６】
2005334454.tif 000008
【図７】
2005334454.tif 000009
【図８】
2005334454.tif 000010
【図９】
2005334454.tif 000011
【図１０】
2005334454.tif 000012
【図１１】
2005334454.tif 000013
【図１２】
2005334454.tif 000014
【図１３】
2005334454.tif 000015
【図１４】
2005334454.tif 000016
【図１５】
2005334454.tif 000017
【図１６】
2005334454.tif 000018